【手続補正書】
【提出日】平成25年12月24日(2013.12.24)
【手続補正１】
【補正対象書類名】明細書
【補正対象項目名】００１９
【補正方法】変更
【補正の内容】
【００１９】
上記の目的を達成するため、本発明による画像読取装置は、複数枚の原稿を読み取って画像データを生成する読取手段と、前記原稿の読み取りを終了するための指示をユーザから受け付ける受付手段と、前記画像データを外部装置に送信する送信手段と、前記画像データがＵＳＢプロトコルに従って送信される場合、前記読取手段が１枚の原稿を読み取る度に１枚の原稿に対応する前記画像データを送信し、前記画像データがネットワークプロトコルに従って送信される場合、前記受付手段により受け付けた指示に応答して、前記複数枚の原稿に対応する前記画像データを送信するように前記送信手段を制御する制御手段と、を有することを特徴とする。
【手続補正２】
【補正対象書類名】明細書
【補正対象項目名】００２０
【補正方法】変更
【補正の内容】
【００２０】
また、本発明による画像読取装置は、複数枚の原稿を読み取って画像データを生成する読取手段と、前記画像データを外部装置に送信する送信手段と、前記読取手段による原稿の読み取りの途中でユーザから所定の指示がされた場合、前記画像データの送信を中止するか否かを問い合わせる問い合わせ手段と、前記画像データがネットワークプロトコルに従って送信される場合、少なくとも前記問い合わせに対する前記ユーザの応答があるまでは、前記送信手段による送信を継続し、前記画像データがＵＳＢプロトコルに従って送信される場合、少なくとも前記問い合わせに対する前記ユーザの応答があるまでは、前記送信手段による送信を一時停止するよう前記送信手段を制御する制御手段と、を有することを特徴とする。
【手続補正３】
【補正対象書類名】特許請求の範囲
【補正対象項目名】全文
【補正方法】変更
【補正の内容】
【特許請求の範囲】
【請求項１】
複数枚の原稿を読み取って画像データを生成する読取手段と、
前記原稿の読み取りを終了するための指示をユーザから受け付ける受付手段と、
前記画像データを外部装置に送信する送信手段と、
前記画像データがＵＳＢプロトコルに従って送信される場合、前記読取手段が１枚の原稿を読み取る度に１枚の原稿に対応する前記画像データを送信し、前記画像データがネットワークプロトコルに従って送信される場合、前記受付手段により受け付けた指示に応答して、前記複数枚の原稿に対応する前記画像データを送信するように前記送信手段を制御する制御手段と、
を有することを特徴とする画像読取装置。
【請求項２】
前記ネットワークプロトコルは、ＳＭＴＰまたはＳＭＢのプロトコルであることを特徴とする請求項１に記載の画像読取装置。
【請求項３】
前記制御手段は、前記画像データがＵＳＢプロトコルに従って送信される場合、前記送信手段により一または複数回にわたり送信した一連の画像データが１つのファイルであることを識別するために、ファイルをクローズする処理を行うことを特徴とする請求項１または２に記載の画像読取装置。
【請求項４】
前記読取手段は、原稿台に置かれた原稿を読み取ることを特徴とする請求項１ないし３のいずれか１項に記載の画像読取装置。
【請求項５】
前記読取手段で生成された画像データを記憶する記憶手段を更に有し、
前記画像データがネットワークプロトコルに従って送信される場合であって、前記記憶手段に画像データを記憶することができない状態である場合に、画像データの送信を行うか否かをユーザに確認する確認手段と、
前記制御手段は、前記確認手段によって画像データを送信する旨の確認が行われると、前記読取手段で読み取って生成された画像データを送信するように制御し、前記確認手段によって画像データを送信しない旨の確認が行われると、前記記憶手段に記憶された画像データを消去するように制御することを特徴とする請求項１ないし４のいずれか１項に記載の画像読取装置。
【請求項６】
前記読取手段で生成された画像データを指定されたファイルフォーマットに変換する変換手段を有し、
前記制御手段は、前記指定されたファイルフォーマットがシングルページフォーマットである場合には、前記画像データが送信されるプロトコルに拘わらず、前記読取手段が１枚の原稿を読み取る度に１枚の原稿に対応する前記画像データを送信するように制御することを特徴とする請求項１ないし５のいずれか１項に記載の画像読取装置。
【請求項７】
複数枚の原稿を読み取って画像データを生成する読取手段と、
前記画像データを外部装置に送信する送信手段と、
前記読取手段による原稿の読み取りの途中でユーザから所定の指示がされた場合、前記画像データの送信を中止するか否かを問い合わせる問い合わせ手段と、
前記画像データがネットワークプロトコルに従って送信される場合、少なくとも前記問い合わせに対する前記ユーザの応答があるまでは、前記送信手段による送信を継続し、前記画像データがＵＳＢプロトコルに従って送信される場合、少なくとも前記問い合わせに対する前記ユーザの応答があるまでは、前記送信手段による送信を一時停止するよう前記送信手段を制御する制御手段と、
を有することを特徴とする画像読取装置。
【請求項８】
前記問い合わせ手段による問い合わせに対する応答が、送信を中止する指示である場合、前記送信手段によって既に送信された画像データを削除するための指示を送信することを特徴とする請求項７に記載の画像読取装置。
【請求項９】
前記問い合わせ手段による問い合わせに対する応答が、送信を再開する指示である場合、前記中断された前記逐次型送信手段による処理を再開するように制御することを特徴とする請求項７または８に記載の画像読取装置。
【請求項１０】
複数枚の原稿を読み取って画像データを生成する読取ステップと、
前記原稿の読み取りを終了するための指示をユーザから受け付ける受付ステップと、
前記画像データを送信手段によって外部装置に送信する送信ステップと、
前記画像データがＵＳＢプロトコルに従って送信される場合、前記読取ステップが１枚の原稿を読み取る度に１枚の原稿に対応する前記画像データを送信し、前記画像データがネットワークプロトコルに従って送信される場合、前記受付ステップにより受け付けた指示に応答して、前記複数枚の原稿に対応する前記画像データを送信するように前記送信手段を制御する制御ステップと、
を有することを特徴とする画像読取装置の制御方法。
【請求項１１】
複数枚の原稿を読み取って画像データを生成する読取ステップと、
前記画像データを送信手段によって外部装置に送信する送信ステップと、
前記読取ステップによる原稿の読み取りの途中でユーザから所定の指示がされた場合、前記画像データの送信を中止するか否かを問い合わせる問い合わせステップと、
前記画像データがネットワークプロトコルに従って送信される場合、少なくとも前記問い合わせに対する前記ユーザの応答があるまでは、前記送信ステップによる送信を継続し、前記画像データがＵＳＢプロトコルに従って送信される場合、少なくとも前記問い合わせに対する前記ユーザの応答があるまでは、前記送信ステップによる送信を一時停止するよう前記送信手段を制御する制御ステップと、
を有することを特徴とする画像読取装置の制御方法。
【請求項１２】
画像読取装置が備えるコンピュータに、
複数枚の原稿を読み取って画像データを生成する読取ステップと、
前記原稿の読み取りを終了するための指示をユーザから受け付ける受付ステップと、
前記画像データを送信手段によって外部装置に送信する送信ステップと、
前記画像データがＵＳＢプロトコルに従って送信される場合、前記読取ステップが１枚の原稿を読み取る度に１枚の原稿に対応する前記画像データを送信し、前記画像データがネットワークプロトコルに従って送信される場合、前記受付ステップにより受け付けた指示に応答して、前記複数枚の原稿に対応する前記画像データを送信するように前記送信手段を制御する制御ステップと、
を実行させることを特徴とする制御プログラム。
【請求項１３】
画像読取装置が備えるコンピュータに、
複数枚の原稿を読み取って画像データを生成する読取ステップと、
前記画像データを送信手段によって外部装置に送信する送信ステップと、
前記読取ステップによる原稿の読み取りの途中でユーザから所定の指示がされた場合、前記画像データの送信を中止するか否かを問い合わせる問い合わせステップと、
前記画像データがネットワークプロトコルに従って送信される場合、少なくとも前記問い合わせに対する前記ユーザの応答があるまでは、前記送信ステップによる送信を継続し、前記画像データがＵＳＢプロトコルに従って送信される場合、少なくとも前記問い合わせに対する前記ユーザの応答があるまでは、前記送信ステップによる送信を一時停止するよう前記送信手段を制御する制御ステップと
を実行させることを特徴とする制御プログラム。